Podtech/llm-jp-corpus-v4-ja_patent huggingface dataset:
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
溶液における精製された抱合体を調製する方法であって、前記抱合体が、抗体に連結された細胞傷害剤を含み、前記方法が、
（ａ）細胞傷害剤をヘテロ２官能性リンカー試薬に接触させて該リンカーを細胞傷害剤に共有結合させ、それによってそれに結合したリンカーを有する細胞傷害剤を含む未精製の第１の混合物を調製することと、
（ｂ）未精製の第１の混合物を６．５〜８．５のｐＨを有する溶液中で抗体と反応させることによって、それに結合したリンカーを有する細胞傷害剤に抗体を抱合させて第２の混合物を調製することと、
（ｃ）第２の混合物を接線流濾過、透析、ゲル濾過、吸着クロマトグラフィ、選択的沈殿、又はこれらの組み合わせに供して精製された抱合体を調製することを含む方法。
【請求項２】
工程（ｂ）において、溶液が６．５のｐＨを有する、請求項１の方法。
【請求項３】
工程（ｂ）において、溶液が７．０のｐＨを有する、請求項１の方法。
【請求項４】
工程（ｂ）において、溶液が７．５のｐＨを有する、請求項１の方法。
【請求項５】
工程（ｂ）において、溶液が８．０のｐＨを有する、請求項１の方法。
【請求項６】
工程（ｂ）における第２の混合物が、分子内又は分子間の反応によって形成される望ましくない架橋された、加水分解された種を実質的に含まない請求項１の方法。
【請求項７】
細胞傷害剤がチオール基を含む、請求項１の方法。
【請求項８】
細胞傷害剤が、カンプトテシンである、請求項１の方法。
【請求項９】
細胞傷害剤がマイタンシノイド化合物、タキサン化合物、ＣＣ−１０６５化合物、ダウノルビシン化合物、ドキソルビシン化合物、ピロロベンゾジアゼピン化合物、カリケラミシン、またはアウリスタチンである、請求項１の方法。
【請求項１０】
抗体がモノクローナル抗体である請求項１の方法。
【請求項１１】
抗体が、ヒトモノクローナル抗体又はヒト化モノクローナル抗体である請求項１の方法。
【請求項１２】
抗体が、ＭＹ９、抗Ｂ４、Ｃ２４２、またはＥｐＣＡＭ、ＣＤ２、ＣＤ３、ＣＤ４、ＣＤ５、ＣＤ６、ＣＤ１１、ＣＤ１９、ＣＤ２０、ＣＤ２２、ＣＤ２６、ＣＤ３０、ＣＤ３３、ＣＤ３７、ＣＤ３８、ＣＤ４０、ＣＤ４４、ＣＤ５６、ＣＤ７９、ＣＤ１０５、ＣＤ１３８、ＥｐｈＡ受容体、ＥｐｈＢ受容体、ＥＧＦＲ、ＥＧＦＲｖＩＩＩ、ＨＥＲ２、ＨＥＲ３、メソテリン、ｃｒｉｐｔｏ、アルファｖベータ３、アルファｖベータ５、およびアルファｖベータ６インテグリンからなる群から選択される抗原に結合する抗体である請求項１の方法。
【請求項１３】
ヒト抗体又はヒト化抗体が、ｈｕＭｙ９−６、ｈｕＢ４、ｈｕＣ２４２、ｈｕＮ９０１、ＤＳ６、ＣＮＴＯ９５、Ｂ−Ｂ４、トラスツズマブ、ペルツズマブ、ビバツズマブ、シブロツズマブもしくはリツキシマブ、又はＥｐｈＡ２受容体、ＣＤ３８、およびＩＧＦ−ＩＲからなる群から選択される抗原に結合するヒト抗体もしくはヒト化抗体である請求項１１の方法。
【請求項１４】
２官能性リンカー試薬に対して過剰な細胞傷害剤を使用する、請求項１の方法。
【請求項１５】
リンカーが切断可能なリンカー又は切断不能なリンカーである、請求項１の方法。
【請求項１６】
ヘテロ２官能性リンカー試薬がＮ−ヒドロキシスクシンイミドエステル基を含む、請求項７の方法。
【請求項１７】
ヘテロ２官能性リンカー試薬が以下の式の１つで表される、請求項１６の方法：
【化１】
2021113210.tif 000001
。
【請求項１８】
ヘテロ２官能性リンカー試薬が以下の式で表される、請求項１６の方法：
【化２】
2021113210.tif 000002
。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
２−（４−クロロフェニル）−Ｎ−（（２−（２，６−ジオキソピペリジン−３−イル）−１−オキソイソインドリン−５−イル）メチル）−２，２−ジフルオロアセトアミドの固形形態、緩衝剤、及び増量剤を含む、凍結乾燥製剤であって、
該固形形態が、Ａ型、Ｂ型、Ｃ型、Ｄ型、及びＥ型から選択され、
ここで、Ａ型が、約１５．６、１６．６、１７．２又は２４．８度２θにピークを含むＸ線粉末回折パターンを有し、
Ｂ型が、約１６．７、２５．６、１５．４又は１６．３度２θにピークを含むＸ線粉末回折パターンを有し、
Ｃ型が、約１６．７、１６．９、１７．７又は２４．７度２θにピークを含むＸ線粉末回折パターンを有し、
Ｄ型が、約１４．１、１４．３、１８．８又は１９．１度２θにピークを含むＸ線粉末回折パターンを有し、かつ
Ｅ型が、約１６．１、１７．０、２１．２又は２２．９度２θにピークを含むＸ線粉末回折パターンを有する、前記凍結乾燥製剤。
【請求項２】
前記固形形態が、実質的に図２に示されるようなＸ線粉末回折パターンを有するＡ型である、請求項１記載の凍結乾燥製剤。
【請求項３】
前記固形形態が、実質的に図９に示されるようなＸ線粉末回折パターンを有するＢ型である、請求項１記載の凍結乾燥製剤。
【請求項４】
前記固形形態が、実質的に図１６に示されるようなＸ線粉末回折パターンを有するＣ型である、請求項１記載の凍結乾燥製剤。
【請求項５】
前記固形形態が、実質的に図２３に示されるようなＸ線粉末回折パターンを有するＤ型である、請求項１記載の凍結乾燥製剤。
【請求項６】
前記固形形態が、実質的に図２５に示されるようなＸ線粉末回折パターンを有するＥ型である、請求項１記載の凍結乾燥製剤。
【請求項７】
前記固形形態が、前記凍結乾燥製剤の総重量に基づいて、約０．３６％で存在する、請求項１記載の凍結乾燥製剤。
【請求項８】
前記緩衝剤が、クエン酸塩緩衝剤である、請求項１記載の凍結乾燥製剤。
【請求項９】
前記クエン酸塩緩衝剤が、無水クエン酸及び無水クエン酸ナトリウムを含む、請求項８記載の凍結乾燥製剤。
【請求項１０】
前記無水クエン酸が、前記凍結乾燥製剤の総重量に基づいて、約２％〜約１０％の量で存在する、請求項９記載の凍結乾燥製剤。
【請求項１１】
前記無水クエン酸ナトリウムが、前記凍結乾燥製剤の総重量に基づいて、約２％〜約１５％の量で存在する、請求項１０記載の凍結乾燥製剤。
【請求項１２】
前記増量剤が、マンニトール、スルホブチルエーテル−β−シクロデキストリン、β−シクロデキストリン、ヒドロキシプロピルβ−シクロデキストリン及びメチル化β−シクロデキストリンから選択される、請求項１記載の凍結乾燥製剤。
【請求項１３】
前記増量剤が、前記凍結乾燥製剤の総重量に基づいて、約７０％〜約９５％の量で存在する、請求項１記載の凍結乾燥製剤。
【請求項１４】
前記凍結乾燥製剤の総重量に基づいて、前記固体形態が、約０．３６％で存在し、該凍結乾燥製剤が、約６．４１％で無水クエン酸を、約６．３７％で無水クエン酸ナトリウムを、及び約８６．８６％でヒドロキシプロピルβ−シクロデキストリンを含む、請求項１記載の凍結乾燥製剤。
【請求項１５】
請求項１記載の凍結乾燥製剤から得られる再構成製剤であって、希釈剤を含む、前記再構成製剤。
【請求項１６】
前記製剤が、約４．３のｐＨを有する、請求項１５記載の再構成製剤。
【請求項１７】
がんを治療するための医薬組成物であって、請求項１〜１４のいずれか一項記載の凍結乾燥製剤、又は請求項１５若しくは１６記載の水溶液を含む、前記医薬組成物。
【請求項１８】
前記医薬組成物が、請求項１５又は１６記載の水溶液を静脈内投与するように用いられる、請求項１７記載の医薬組成物。
【請求項１９】
前記がんが、白血病である、請求項１８記載の医薬組成物。
【請求項２０】
前記白血病が、慢性リンパ性白血病、慢性骨髄性白血病、急性リンパ性白血病、又は急性骨髄性白血病である、請求項１９記載の医薬組成物。
【請求項２１】
前記白血病が、急性骨髄性白血病である、請求項２０記載の医薬組成物。
【請求項２２】
前記白血病が、従来の治療法に対して再発しているか、不応性又は耐性である、請求項２１記載の医薬組成物。
【請求項２３】
前記医薬組成物が、前記製剤を第２の活性薬剤又は支持療法と組み合わせて投与するように用いられる、請求項２２記載の医薬組成物。
【請求項２４】
前記第２の活性薬剤が、がん抗原に特異的に結合する治療用抗体、造血増殖因子、サイトカイン、抗がん剤、抗生物質、ｃｏｘ−２阻害剤、免疫調節剤、免疫抑制剤、コルチコステロイド、又はそれらの医薬的に活性な変異体若しくは誘導体である、請求項２３記載の医薬組成物。
【請求項２５】
凍結乾燥製剤を調製するための方法であって、増量剤及び２−（４−クロロフェニル）−Ｎ−（（２−（２，６−ジオキソピペリジン−３−イル）−１−オキソイソインドリン−５−イル）メチル）−２，２−ジフルオロアセトアミドの固体形態を緩衝液中に溶解して溶液を生成すること；及び該得られた溶液を凍結乾燥して粉末を生成することを含み、
該固形形態が、Ａ型、Ｂ型、Ｃ型、Ｄ型、及びＥ型から選択され、
ここで、Ａ型が、約１５．６、１６．６、１７．２又は２４．８度２θにピークを含むＸ線粉末回折パターンを有し、
Ｂ型が、約１６．７、２５．６、１５．４又は１６．３度２θにピークを含むＸ線粉末回折パターンを有し、
Ｃ型が、約１６．７、１６．９、１７．７又は２４．７度２θにピークを含むＸ線粉末回折パターンを有し、
Ｄ型が、約１４．１、１４．３、１８．８又は１９．１度２θにピークを含むＸ線粉末回折パターンを有し、かつ
Ｅ型が、約１６．１、１７．０、２１．２又は２２．９度２θにピークを含むＸ線粉末回折パターンを有する、前記方法。
【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
主流路（１０２）を流れる空気の物理量を検出する空気流量測定装置において、
前記主流路に設けられるハウジング（１０）と、
前記ハウジングに設けられる基板（２０、２１）と、
空気の物理量を検出するための物理量センサを前記基板に実装可能な複数のランド（３１）を有するランド部（３０）と、
空気と共に流れる異物または水に対し、複数の前記ランドに前記物理量センサが実装されていない複数の前記ランド同士の電気的導通を絶縁する絶縁部（４０、４１、４７、４８、４９）と、を備える空気流量測定装置。
【請求項２】
前記ランド部に実装可能な前記物理量センサは、前記主流路を流れる空気の流量とは異なる物理量を検出するものである、請求項１に記載の空気流量測定装置。
【請求項３】
前記絶縁部は、前記ランド部を覆う絶縁性の樹脂被覆（４０）である、請求項１または２に記載の空気流量測定装置。
【請求項４】
前記樹脂被覆は、前記ランド部を覆うエポキシポッティングである、請求項３に記載の空気流量測定装置。
【請求項５】
前記樹脂被覆は、前記ランド部と共に前記基板の全体を覆うゲルコーティングである、請求項３に記載の空気流量測定装置。
【請求項６】
前記樹脂被覆は、前記ランド部と共に前記基板の全体を覆う樹脂コーティング（４１）である、請求項３に記載の空気流量測定装置。
【請求項７】
前記基板の中で前記ランド部は、前記基板の厚み方向の高さが周囲の部位に対して低く形成された凹部（２２）に設けられている、請求項１ないし６のいずれか１つに記載の空気流量測定装置。
【請求項８】
前記基板は、前記ランド部の外側を囲う溝部（２３）を有している、請求項１ないし６のいずれか１つに記載の空気流量測定装置。
【請求項９】
前記基板には、複数の前記ランド部が設けられており、
複数の前記ランド部を覆う前記樹脂被覆は、同一の材料で形成されている、請求項３ないし８のいずれか１つに記載の空気流量測定装置。
【請求項１０】
前記基板には、複数の前記ランド部が設けられており、
前記樹脂被覆は、複数の前記ランド部を一体で覆っている、請求項３ないし８のいずれか１つに記載の空気流量測定装置。
【請求項１１】
前記絶縁部は、前記基板に形成された配線のうち、複数の前記ランドから延びる配線の一部が分断された配線分断部（４７）である、請求項１または２に記載の空気流量測定装置。
【請求項１２】
前記ハウジングは、前記主流路を流れる空気を前記物理量センサが配置される領域に供給するための物理量測定流路（６０）を有しており、
前記配線分断部は、前記物理量測定流路の流路入口（６１）と流路出口（６２）とを最短距離で結ぶ流路（６３）に対して複数の前記ランドより遠い位置に設けられている、請求項１１に記載の空気流量測定装置。
【請求項１３】
前記ハウジングは、前記主流路を流れる空気を前記物理量センサが配置される領域に供給するための物理量測定流路（６０）を有しており、
前記絶縁部は、前記主流路を流れる空気が前記物理量センサが配置される領域に流入しないように前記物理量測定流路の一部を仕切る流路仕切板（４８）、または、前記物理量測定流路の流路入口（６１）と流路出口（６２）とを閉塞する流路閉塞部材（４９）である、請求項１または２に記載の空気流量測定装置。
【請求項１４】
前記ハウジングには、前記主流路に開口する副流路入口（６１）と副流路出口（６２）とを連通する副流路（５３）、および前記副流路から分岐する分岐流路（５４）を有する流量測定流路（５０）と、
前記流量測定流路とは別に設けられ、前記主流路に開口する流路入口（６１）と流路出口（６２）とを連通する物理量測定流路（６０）とが形成されており、
前記ランド部は、前記物理量測定流路に配置されている、請求項１ないし１３のいずれか１つに記載の空気流量測定装置。
【請求項１５】
前記ランド部は、前記物理量測定流路の前記流路入口と前記流路出口とを最短距離で結んだ流路に配置されている、請求項１４に記載の空気流量測定装置。
【請求項１６】
前記基板は前記ハウジングの外側に配置されており、
前記基板に設けられた前記ランド部または前記ランド部を覆う樹脂被覆は、前記主流路に露出している、請求項３ないし１１のいずれか１つに記載の空気流量測定装置。
【手続補正２】
【補正対象書類名】明細書
【補正対象項目名】０００７
【補正方法】変更
【補正の内容】
【０００７】
上記目的を達成するため、請求項１に係る発明は、主流路（１０２）を流れる空気の流量を測定する空気流量測定装置である。この空気流量測定装置は、ハウジング（１０）、基板（２１）、ランド部（３０）および絶縁部（４０、４１、４７、４８、４９）を備える。ハウジングは、主流路に設けられる。基板は、ハウジングに設けられる。ランド部は、空気の物理量を検出するための物理量センサを基板に実装可能な複数のランド（３１）を有する。絶縁部は、空気と共に流れる異物または水に対し、複数のランドに物理量センサが実装されていない複数のランド同士の電気的導通を絶縁する。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
プロセス制御スイッチの通信ポートを介してデバイスに接続された前記プロセス制御スイッチを備えるプロセスプラント内の前記プロセス制御システムのセキュリティを向上させる方法であって、
前記プロセス制御スイッチの通信ポートのセットのロックダウンを開始することと、
前記通信ポートのセットのロックダウンを開始することに関連して、
前記プロセス制御スイッチによって、前記通信ポートのセットうちの少なくとも一部に接続されたデバイスのセットのネットワークアドレスのセットを取得することと、
前記プロセス制御スイッチのアドレス一致テーブルを生成することであって、前記アドレス一致テーブルは、前記デバイスのセットの物理アドレスのセットを、前記デバイスのセットのネットワークアドレスのセットに一致させる、ことと
通信ポートのセットのロックダウンの後、
前記通信ポートのセットの１つを介して、デバイスからのデータパケットを受信することであって、前記データパケットは、少なくとも（ｉ）前記デバイスのネットワークアドレス、および（ｉｉ）前記デバイスの物理アドレスを示す、ことと、
前記デバイスの前記ネットワークアドレスと前記デバイスの前記物理アドレスが前記アドレス一致テーブルに含まれているかどうかを判定することと、
前記判定に応答して、アラートを生成することと
を備える、方法。
【請求項２】
前記通信ポートのセットの前記ロックダウンを開始することに関連して、
前記プロセス制御スイッチによって、前記通信ポートのセットうちの少なくとも一部に接続された前記デバイスのセットの前記物理アドレスのセットを取得すること
をさらに備える、請求項１に記載の方法。
【請求項３】
前記デバイスから前記データパケットを受信することは、
前記通信ポートのセットの少なくとも一部とは別の前記通信ポートの前記セットの１つを介して前記デバイスから前記データパケットを受信すること
を備える、請求項１または２に記載の方法。
【請求項４】
前記デバイスから前記データパケットを受信することは、
前記通信ポートのセットの少なくとも一部に含まれた前記通信ポートの前記セットの１つを介して前記デバイスから前記データパケットを受信すること
を備える、請求項１から３のいずれか一項に記載の方法。
【請求項５】
前記デバイスの前記ネットワークアドレスと前記デバイスの前記物理アドレスが前記アドレス一致テーブルに含まれているかどうかを判定することは、
前記デバイスの前記物理アドレスが、前記通信ポートのセットのうちの１つに以前に接続された前記デバイスのセットのうちの１つの物理アドレスと一致しないと判定すること
を備える、請求項１から３のいずれか一項に記載の方法。
【請求項６】
前記アラートを生成することは、
前記通信ポートのセットの１つを示す前記アラートを生成することと、
前記アラートを前記プロセス制御システムに関連するコンピューティングデバイスのユーザインタフェース上に表示させることと、
を備える、請求項１から５のいずれか一項に記載の方法。
【請求項７】
前記デバイスのセットの前記ネットワークアドレスのセットを取得することは、
前記プロセス制御スイッチによって、（ｉ）第１の通信ポートに接続された第１のデバイスの第１のネットワークアドレスと、（ｉｉ）追加のプロセス制御スイッチを介して第２の通信ポートに接続された複数のデバイスの複数のネットワークアドレスとを取得すること
を備える、請求項１から６のいずれか一項に記載の方法。
【請求項８】
前記判定に応答して、
前記データパケットの送信を可能にすること
をさらに備える、請求項１から７のいずれか一項に記載の方法。
【請求項９】
前記判定に応答して、
前記データパケットの送信を拒否すること
をさらに備える、請求項１から７のいずれか一項に記載の方法。
【請求項１０】
前記通信ポートのセットうちの少なくとも一部に接続された前記デバイスのセットの前記ネットワークアドレスのセットを取得することは、
前記プロセス制御スイッチに組み込まれた特定用途向け集積回路（ＡＳＩＣ）のセットを使用して、前記ネットワークアドレスのセットを取得すること
を備える、請求項１から９のいずれか一項に記載の方法。
【請求項１１】
前記プロセス制御スイッチは、オープンシステム相互接続（ＯＳＩ）モデルの第２層および第３層で動作する、請求項１から１０のいずれか一項に記載の方法。
【請求項１２】
プロセスプラント内のプロセス制御システムで使用されるプロセス制御スイッチであって、
プロセス制御システムのデバイスが接続するように構成された通信ポートのセットと、
コンテンツアドレス可能なメモリと、
通信ポートのセットおよびコンテンツアドレス可能メモリに通信可能に結合され、
（ａ）通信ポートのセットのロックアウトを開始し、
（ｂ）前記通信ポートのセットの少なくとも一部のロックダウンを開始することに関連して、
（１）前記通信ポートのセットうちの少なくとも一部に接続されたデバイスのセットのネットワークアドレスのセットを取得し、
（２）前記デバイスのセットの物理アドレスのセットを、前記デバイスのセットの前記ネットワークアドレスのセットに一致させるアドレス一致テーブルを生成し、
（ｃ）通信ポートのセットのロックダウンの後、
（１）前記通信ポートのセットの１つを介して、デバイスからのデータパケットを受信し、前記データパケットは、少なくとも（ｉ）前記デバイスのネットワークアドレス、および（ｉｉ）前記デバイスの物理アドレスを示し、
（２）前記デバイスの前記ネットワークアドレスと前記デバイスの前記物理アドレスがアドレス一致テーブルに含まれていないと判断し、
（３）前記判定に応答して、アラートを生成するように構成された特定用途向け集積回路（ＡＳＩＣ）のセットと
を備える、プロセス制御スイッチ。
【請求項１３】
前記ＡＳＩＣのセットは、前記通信ポートのセットの前記ロックダウンを開始することに関連して、
前記通信ポートのセットうちの少なくとも一部に接続された前記デバイスのセットの前記物理アドレスのセットを取得するようにさらに構成された、
請求項１２に記載のプロセス制御スイッチ。
【請求項１４】
前記デバイスの前記ネットワークアドレスと前記デバイスの前記物理アドレスが前記アドレスマッチングテーブルに含まれていないと判断するために、前記ＡＳＩＣのセットは、
前記デバイスの前記物理アドレスが、前記通信ポートのセットのうちの１つに以前に接続された前記デバイスのセットのうちの１つの物理アドレスと一致しないことを判定するように構成された、
請求項１２または１３に記載のプロセス制御スイッチ。
【請求項１５】
前記プロセス制御スイッチは、オープンシステム相互接続（ＯＳＩ）モデルの第２層および第３層で動作する、請求項１２から１４のいずれか一項に記載のプロセス制御スイッチ。
【手続補正書】
【提出日】令和2年11月24日(2020.11.24)
【手続補正１】
【補正対象書類名】特許請求の範囲
【補正対象項目名】請求項１
【補正方法】変更
【補正の内容】
【請求項１】
遊技区間として、
遊技者に有利な操作態様を報知しない第一区間と、
遊技者に有利な操作態様を報知する場合を有する第二区間とを有し、
第二区間における遊技の実行に応じて更新可能な値を記憶可能な第１の記憶手段と、
第二区間における総差数に関する値を記憶可能な第２の記憶手段と、
クレジット数に関する値を記憶可能な第３の記憶手段と
を備え、
第二区間の所定の遊技において、所定の遊技における差数に関する値（「差数に関する値」とは、１遊技における遊技媒体の付与数から遊技媒体のベット数を減算した値とする。以下同じ。）と第２の記憶手段に記憶されている総差数に関する値とを加算した結果が正の値のときは、所定の遊技における差数に関する値に基づいて第２の記憶手段に記憶されている総差数に関する値を更新可能とし、
第二区間の特定の遊技において、特定の遊技における差数に関する値と第２の記憶手段に記憶されている総差数に関する値とを加算した結果が負の値のときは、第２の記憶手段に規定値を記憶可能とし、
第二区間における遊技の実行に応じて更新された値、又は第二区間における総差数に関する値に基づいて、第二区間を終了可能とし、
特別の抽選結果となり、特別の図柄組合せが停止表示された場合の次回の遊技は特別遊技状態の遊技であり、
特別の抽選結果となり、特別の図柄組合せが停止表示されなかった場合は、次の遊技は、所定の遊技状態であるように構成され、
第二区間の終了条件を満たした遊技が特別遊技状態の遊技であって、その遊技で特別遊技状態の終了条件を満たさなかった場合は、次の遊技は、第一区間であり、特別遊技状態であるように構成され、
第二区間であって、かつ、所定の遊技状態では、遊技の実行に応じて第１の記憶手段に記憶されている値を更新可能に構成され、
第二区間を終了するときには、所定の初期化処理を実行可能とし、
所定の初期化処理では第３の記憶手段に記憶されている値は初期化されないよう構成されている
ことを特徴とする遊技機。
【手続補正２】
【補正対象書類名】明細書
【補正対象項目名】０００１
【補正方法】変更
【補正の内容】
【０００１】
本発明は、差数に関する値に基づいて、遊技者に有利な操作態様を報知する場合を有する第二区間を終了可能とした遊技機に関するものである。
【手続補正３】
【補正対象書類名】明細書
【補正対象項目名】０００４
【補正方法】変更
【補正の内容】
【０００４】
しかし、前述の従来の技術において、有利区間を最大で１５００遊技又は払出し３０００枚に設定すると、有利区間やＡＴが画一的なものとなってしまう。
本発明が解決しようとする課題は、遊技者に有利な操作態様を報知する場合を有する第二区間を、最大で１５００遊技又は払出し３０００枚にとらわれないで終了可能とした遊技機を提供することである。
【手続補正４】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明（第３１実施形態）は、
遊技区間として、
遊技者に有利な操作態様（ストップスイッチ４２の正解押し順）を報知しない第一区間（通常区間）と、
遊技者に有利な操作態様を報知する場合を有する第二区間（有利区間）とを有し、
第二区間における遊技の実行に応じて更新可能な値を記憶可能な第１の記憶手段（有利区間クリアカウンタ）と、
第二区間における総差数に関する値を記憶可能な第２の記憶手段（差数カウンタ）と、
クレジット数に関する値を記憶可能な第３の記憶手段（貯留枚数データ）と
を備え、
第二区間の所定の遊技において、所定の遊技における差数に関する値（「差数に関する値」とは、１遊技における遊技媒体の付与数から遊技媒体のベット数を減算した値とする。以下同じ。）と第２の記憶手段に記憶されている総差数に関する値とを加算した結果が正の値のときは、所定の遊技における差数に関する値に基づいて第２の記憶手段に記憶されている総差数に関する値を更新可能とし、
第二区間の特定の遊技において、特定の遊技における差数に関する値と第２の記憶手段に記憶されている総差数に関する値とを加算した結果が負の値のときは、第２の記憶手段に規定値（０（Ｈ））を記憶可能とし、
第二区間における遊技の実行に応じて更新された値、又は第二区間における総差数に関する値に基づいて、第二区間を終了可能とし、
特別の抽選結果（特別役の当選）となり、特別の図柄組合せ（特別役に対応する図柄組合せ）が停止表示された場合の次回の遊技は特別遊技状態の遊技（特別遊技）であり、
特別の抽選結果となり、特別の図柄組合せが停止表示されなかった場合は、次の遊技は、所定の遊技状態（内部中）であるように構成され、
第二区間の終了条件を満たした遊技が特別遊技状態の遊技であって、その遊技で特別遊技状態の終了条件を満たさなかった場合は、次の遊技は、第一区間であり、特別遊技状態であるように構成され、
第二区間であって、かつ、所定の遊技状態では、遊技の実行に応じて第１の記憶手段に記憶されている値を更新可能に構成され、
第二区間を終了するときには、所定の初期化処理を実行可能とし、
所定の初期化処理では第３の記憶手段に記憶されている値は初期化されないよう構成されている
ことを特徴とする。
【手続補正５】
【補正対象書類名】明細書
【補正対象項目名】０００６
【補正方法】変更
【補正の内容】
【０００６】
本発明によれば、総差数に関する値に基づいて第二区間を終了可能であるので、「遊技区間の遊技回数が所定の上限遊技回数（たとえば１５００遊技）に到達したとき又は有利区間中の払出し数が所定数（たとえば３０００枚）に到達したとき」という終了条件にとらわれないで第二区間を終了することが可能となる。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
遊技者が操作可能な操作部を備え、
前記操作部は、通常は所定態様で押し込めない第１状態で保持され、所定の演出タイミングになると、前記第１状態から前記所定態様で押し込み可能な第２状態に変化することがあることを特徴とする遊技機。
【請求項２】
請求項１に記載の遊技機であって、
当該遊技機に係る遊技者の前方に配置される遊技盤をさらに備え、
前記第２状態において前記操作部を前記所定態様で押し込む方向は、遊技者から前記遊技盤に向かう方向であることを特徴とする遊技機。
【手続補正２】
【補正対象書類名】明細書
【補正対象項目名】０００７
【補正方法】変更
【補正の内容】
【０００７】
本発明に係る遊技機は、
遊技者が操作可能な操作部を備え、
前記操作部は、通常は所定態様で押し込めない第１状態で保持され、所定の演出タイミングになると、前記第１状態から前記所定態様で押し込み可能な第２状態に変化することがあることを特徴とする。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
遊技者が操作可能であり、演出部が搭載された操作手段を備え、
前記操作手段は、動作可能であり、第１状態、および前記第１状態に比べて前記演出部が視認容易な第２状態を取ることが可能であり、
前記第２状態から前記第１状態に移行するまでの時間よりも前記第１状態から前記第２状態まで移行するまでの時間の方が短いことを特徴とする遊技機。
【手続補正２】
【補正対象書類名】明細書
【補正対象項目名】０００７
【補正方法】変更
【補正の内容】
【０００７】
本発明に係る遊技機は、
遊技者が操作可能であり、演出部が搭載された操作手段を備え、
前記操作手段は、動作可能であり、第１状態、および前記第１状態に比べて前記演出部が視認容易な第２状態を取ることが可能であり、
前記第２状態から前記第１状態に移行するまでの時間よりも前記第１状態から前記第２状態まで移行するまでの時間の方が短いことを特徴とする。
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
セレン含有量が１００ｇあたり５５μｇ以下であり、かつ、以下の条件（１）〜（４）のうち少なくとも１つを満たす筋肉を有する、マグロ類養殖魚。
（１）グルタミン酸含有量が１００ｇあたり７ｍｇ以上
（２）グリシン含有量が１００ｇあたり７ｍｇ以上
（３）アラニン含有量が１００gあたり１７ｍｇ以上
（４）バリン含有量が１００ｇあたり５ｍｇ以上
【請求項２】
配合飼料を含む餌料で飼育管理されることにより得られた、請求項１記載のマグロ類養殖魚。
【請求項３】
総魚体重が２０ｋｇ以上である請求項１又は請求項２記載のマグロ類養殖魚。
【請求項４】
尾叉長が９０ｃｍ以上である請求項１〜請求項３のいずれか１項記載のマグロ類養殖魚。
【請求項５】
肥満度が２０以上である請求項１〜請求項４のいずれか１項記載のマグロ類養殖魚。
【請求項６】
マグロ属、ソウダガツオ属、ハガツオ属、スマ属、又はカツオ属のマグロ類である請求項１〜請求項５のいずれか１項記載のマグロ類養殖魚。
【請求項７】
前記マグロ類はビンナガ、クロマグロ、ミナミマグロ、タイセイヨウマグロ、タイセイヨウクロマグロ、キハダ、メバチ、コシナガ、ハガツオ又はスマである請求項６記載のマグロ類養殖魚。
【請求項８】
北半球を生息域とする魚類を主食とするマグロ類である請求項６又は請求項７項記載のマグロ類養殖魚。
【請求項９】
ビンナガ、クロマグロ、タイセイヨウマグロ、タイセイヨウクロマグロ、キハダ、メバチ、コシナガ、ハガツオ又はスマである請求項８記載のマグロ類養殖魚。
【請求項１０】
鰓、内臓、尾部及び頭部からなる群より選択される部位の少なくとも１つが除去されている請求項１〜請求項９のいずれか１項記載のマグロ類養殖魚。
【請求項１１】
鰓及び内臓が除去された形態である請求項１〜請求項１０のいずれか１項記載のマグロ類養殖魚。
【請求項１２】
全重量が１７ｋｇ以上である請求項１１記載のマグロ類養殖魚。
【請求項１３】
セレン含有量が１００ｇあたり５５μｇ以下であり、かつ、以下の条件（１）〜（４）のうち少なくとも１つを満たす筋肉を有するマグロ類養殖魚の可食部。
（１）グルタミン酸含有量が１００ｇあたり７ｍｇ以上
（２）グリシン含有量が１００ｇあたり７ｍｇ以上
（３）アラニン含有量が１００gあたり１７ｍｇ以上
（４）バリン含有量が１００ｇあたり５ｍｇ以上
【請求項１４】
魚肉又は内臓の少なくとも一部である請求項１３記載のマグロ類養殖魚の可食部。
【請求項１５】
赤身又は脂身である請求項１３記載のマグロ類養殖魚の可食部。
【請求項１６】
セレン含有量が１００ｇあたり５５μｇ以下であり、かつ、以下の条件（１）〜（４）のうち少なくとも１つを満たす筋肉である請求項１４記載のマグロ類養殖魚の可食部。
（１）グルタミン酸含有量が１００ｇあたり７ｍｇ以上
（２）グリシン含有量が１００ｇあたり７ｍｇ以上
（３）アラニン含有量が１００gあたり１７ｍｇ以上
（４）バリン含有量が１００ｇあたり５ｍｇ以上
【請求項１７】
請求項１３〜請求項１６のいずれか１項記載のマグロ類養殖魚の可食部と、
前記可食部を収容する容器と、
を含む、マグロ類養殖魚の加工食品。
【請求項１８】
３０重量％以上をイワシ魚粉で構成された魚粉、及び油脂を含む内包と、
前記内包を包み、且つ、タンパク質及び多糖類からなる群より選択される少なくとも１つの物質で構成される外皮と、
を含む配合飼料を、少なくとも３０日間継続して給餌することを含む、請求項１〜請求項１２のいずれか１項記載のマグロ類養殖魚の飼育方法。
【請求項１９】
請求項１８記載のマグロ類養殖魚の飼育方法で得られたマグロ類養殖魚を用意すること、
用意されたマグロ類養殖魚から、可食部を採取すること、
前記可食部を容器に収容すること、
を含む、マグロ類養殖魚の加工食品の製造方法。
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
複数の設定値のうち所定の設定値に設定可能な遊技機であって、
当りか否かの抽選を行う抽選手段と、
前記当りである場合に当り状態に制御する遊技状態制御手段と、
演出が表示される演出表示装置と、を備え、
前記当り状態では所定の入賞口を開放させ、前記所定の入賞口へ入賞すると賞球を行うものであり、
段階的な変化が可能とされる前記複数の設定値に対応した所定の表示態様を前記演出表示装置に表示することを可能とし、
前記所定の入賞口へ入賞して賞球の獲得数が増えている状況下で、前記段階的な変化が可能とされる前記所定の表示態様を表示可能とされ、
前記所定の表示態様が変化して最終段階としての表示態様が前記演出表示装置に表示された場合、前記演出表示装置に最終段階としての表示態様が表示された以降に前記所定の入賞口へ入賞して賞球が行われたとしても最終段階としての表示態様を継続して表示することを可能とする
ことを特徴とする遊技機。
【手続補正２】
【補正対象書類名】明細書
【補正対象項目名】０００２
【補正方法】変更
【補正の内容】
【０００２】
従来より、複数種類の設定値からいずれかの設定値を選択して設定可能な遊技機が提案されている（例えば、特許文献１）。
【手続補正３】
【補正対象書類名】明細書
【補正対象項目名】０００３
【補正方法】変更
【補正の内容】
【０００３】
【特許文献１】特開２０１７−１０８７７２号公報
【手続補正４】
【補正対象書類名】明細書
【補正対象項目名】０００４
【補正方法】変更
【補正の内容】
【０００４】
複数種類の設定値からいずれかの設定値を選択して設定可能な遊技機における演出については、まだまだ工夫の余地がある。
【手続補正５】
【補正対象書類名】明細書
【補正対象項目名】０００５
【補正方法】変更
【補正の内容】
【０００５】
本発明は、このような事情に鑑みてなされたものであり、その目的とするところは、演出について工夫が施された遊技機を提供することにある。
【手続補正６】
【補正対象書類名】明細書
【補正対象項目名】０００６
【補正方法】変更
【補正の内容】
【０００６】
複数の設定値のうち所定の設定値に設定可能な遊技機であって、当りか否かの抽選を行う抽選手段と、前記当りである場合に当り状態に制御する遊技状態制御手段と、演出が表示される演出表示装置と、を備え、前記当り状態では所定の入賞口を開放させ、前記所定の入賞口へ入賞すると賞球を行うものであり、段階的な変化が可能とされる前記複数の設定値に対応した所定の表示態様を前記演出表示装置に表示することを可能とし、前記所定の入賞口へ入賞して賞球の獲得数が増えている状況下で、前記段階的な変化が可能とされる前記所定の表示態様を表示可能とされ、前記所定の表示態様が変化して最終段階としての表示態様が前記演出表示装置に表示された場合、前記演出表示装置に最終段階としての表示態様が表示された以降に前記所定の入賞口へ入賞して賞球が行われたとしても最終段階としての表示態様を継続して表示することを可能とすることを特徴とする遊技機。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】変更
【補正の内容】
【００１５】
本発明の遊技機においては、演出について工夫が施された遊技機を提供することができる。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
発射操作に応じて発射された遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入に際して第１の操作が行われることに基づいて、前記当り遊技の実行確率に関する設定情報を決定可能な設定決定モードを発生させる設定決定モード発生手段と、
当該遊技機の電源投入に際して第２の操作が行われることに基づいて、前記設定決定モードとは別に前記設定情報を確認可能な設定確認モードを発生させる設定確認モード発生手段と、
前記設定決定モードが終了したときと前記設定確認モードが終了したときに、所定の表示部にて特別表示を実行する特別表示実行手段と、を備え、
前記設定決定モード中と前記設定確認モード中は、遊技の進行が不能とされ、前記特別表示の実行中は、遊技の進行が可能とされる
ことを特徴とする遊技機。
【手続補正２】
【補正対象書類名】明細書
【補正対象項目名】０００２
【補正方法】変更
【補正の内容】
【０００２】
従来、パチンコ機等の遊技機として、遊技場管理者による設定変更操作によって、当り確率等の設定状態を複数のいずれかに設定する遊技機が知られている。（例えば、特許文献１）。
【手続補正３】
【補正対象書類名】明細書
【補正対象項目名】０００３
【補正方法】変更
【補正の内容】
【０００３】
【特許文献１】特開平６−９１０４９号公報
【手続補正４】
【補正対象書類名】明細書
【補正対象項目名】０００４
【補正方法】変更
【補正の内容】
【０００４】
しかしながら、設定情報を有する従来の遊技機については、利便性の面で不十分であった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、設定情報を有する遊技機について従来よりも利便性を向上させることができる遊技機を提供することにある。
【手続補正６】
【補正対象書類名】明細書
【補正対象項目名】０００７
【補正方法】変更
【補正の内容】
【０００７】
請求項１に係る発明においては、
発射操作に応じて発射された遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入に際して第１の操作が行われることに基づいて、前記当り遊技の実行確率に関する設定情報を決定可能な設定決定モードを発生させる設定決定モード発生手段と、（例えば、段落２０１２参照）
当該遊技機の電源投入に際して第２の操作が行われることに基づいて、前記設定決定モードとは別に前記設定情報を確認可能な設定確認モードを発生させる設定確認モード発生手段と、（例えば、段落２０３６参照）
前記設定決定モードが終了したときと前記設定確認モードが終了したときに、所定の表示部にて特別表示を実行する特別表示実行手段と、を備え、（例えば、段落２０２４、２０２９、２０４９、２０５５における「遊技開始報知」など）
前記設定決定モード中と前記設定確認モード中は、遊技の進行が不能とされ、前記特別表示の実行中は、遊技の進行が可能とされる
ことを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
請求項１に係る発明によれば、設定情報を有する遊技機について従来よりも利便性を向上させることができる。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
発射操作に応じて発射された遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入に際して第１の操作が行われることに基づいて、前記当り遊技の実行確率に関する設定情報を決定可能な設定決定モードを発生させる設定決定モード発生手段と、
当該遊技機の電源投入に際して第２の操作が行われることに基づいて、前記設定決定モードとは別に前記設定情報を確認可能な設定確認モードを発生させる設定確認モード発生手段と、
図柄の変動表示に応じた演出表示を行う演出表示実行手段と、
前記設定決定モードを終了させる所定の終了操作が行われて前記設定決定モードが終了した場合に、前記演出表示とは異なる特定表示を行う特定表示実行手段と、
前記特定表示が行われた後に、前記演出表示と前記特定表示のいずれとも異なる特別表示を行う特別表示実行手段と、
を備えることを特徴とする遊技機。
【手続補正２】
【補正対象書類名】明細書
【補正対象項目名】０００２
【補正方法】変更
【補正の内容】
【０００２】
従来、パチンコ機等の遊技機として、遊技場管理者による設定変更操作によって、当り確率等の設定状態を複数のいずれかに設定する遊技機が知られている。（例えば、特許文献１）。
【手続補正３】
【補正対象書類名】明細書
【補正対象項目名】０００３
【補正方法】変更
【補正の内容】
【０００３】
【特許文献１】特開平６−９１０４９号公報
【手続補正４】
【補正対象書類名】明細書
【補正対象項目名】０００４
【補正方法】変更
【補正の内容】
【０００４】
しかしながら、設定情報を有する従来の遊技機については、利便性の面で不十分であった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、設定情報を有する遊技機について従来よりも利便性を向上させることができる遊技機を提供することにある。
【手続補正６】
【補正対象書類名】明細書
【補正対象項目名】０００７
【補正方法】変更
【補正の内容】
【０００７】
請求項１に係る発明においては、
発射操作に応じて発射された遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入に際して第１の操作が行われることに基づいて、前記当り遊技の実行確率に関する設定情報を決定可能な設定決定モードを発生させる設定決定モード発生手段と、（例えば、段落２０１２参照）
当該遊技機の電源投入に際して第２の操作が行われることに基づいて、前記設定決定モードとは別に前記設定情報を確認可能な設定確認モードを発生させる設定確認モード発生手段と、（例えば、段落２０３６参照）
図柄の変動表示に応じた演出表示を行う演出表示実行手段と、
前記設定決定モードを終了させる所定の終了操作が行われて前記設定決定モードが終了した場合に、前記演出表示とは異なる特定表示を行う特定表示実行手段と、（例えば、段落２０２４における「遊技待機報知」など）
前記特定表示が行われた後に、前記演出表示と前記特定表示のいずれとも異なる特別表示を行う特別表示実行手段と、（例えば、段落２０２４、２０２９における「遊技開始報知」など）
を備えることを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
請求項１に係る発明によれば、設定情報を有する遊技機について従来よりも利便性を向上させることができる。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
発射操作に応じて発射された遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入に際して第１の操作が行われることに基づいて、前記当り遊技の実行確率に関する設定情報を決定可能な設定決定モードを発生させる設定決定モード発生手段と、
当該遊技機の電源投入に際して第２の操作が行われることに基づいて、前記設定決定モードとは別に前記設定情報を確認可能な設定確認モードを発生させる設定確認モード発生手段と、
所定の報知を行う報知手段と、を備え、
前記設定決定モードの終了に基づいて前記報知手段が特定の報知を実行可能であり、
前記特定の報知は、前記設定確認モードが終了したときには実行されない
ことを特徴とする遊技機。
【手続補正２】
【補正対象書類名】明細書
【補正対象項目名】０００２
【補正方法】変更
【補正の内容】
【０００２】
従来、パチンコ機等の遊技機として、遊技場管理者による設定変更操作によって、当り確率等の設定状態を複数のいずれかに設定する遊技機が知られている。（例えば、特許文献１）。
【手続補正３】
【補正対象書類名】明細書
【補正対象項目名】０００３
【補正方法】変更
【補正の内容】
【０００３】
【特許文献１】特開平６−９１０４９号公報
【手続補正４】
【補正対象書類名】明細書
【補正対象項目名】０００４
【補正方法】変更
【補正の内容】
【０００４】
しかしながら、設定情報を有する従来の遊技機については、利便性の面で不十分であった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、設定情報を有する遊技機について従来よりも利便性を向上させることができる遊技機を提供することにある。
【手続補正６】
【補正対象書類名】明細書
【補正対象項目名】０００７
【補正方法】変更
【補正の内容】
【０００７】
請求項１に係る発明においては、
発射操作に応じて発射された遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
当該遊技機の電源投入に際して第１の操作が行われることに基づいて、前記当り遊技の実行確率に関する設定情報を決定可能な設定決定モードを発生させる設定決定モード発生手段と、（例えば、段落２０１２参照）
当該遊技機の電源投入に際して第２の操作が行われることに基づいて、前記設定決定モードとは別に前記設定情報を確認可能な設定確認モードを発生させる設定確認モード発生手段と、（例えば、段落２０３６参照）
所定の報知を行う報知手段と、を備え、
前記設定決定モードの終了に基づいて前記報知手段が特定の報知を実行可能であり、（例えば、段落２０２６の「設定変更しました」の音声報知）
前記特定の報知は、前記設定確認モードが終了したときには実行されない
ことを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
請求項１に係る発明によれば、設定情報を有する遊技機について従来よりも利便性を向上させることができる。